【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
電子書籍のコンテンツを解析し、コンテンツの要素の読み順とコンテンツの要素のレイアウトを含むコンテンツ解析情報を取得するコンテンツ解析部と、
広告と前記広告のレイアウトとを含む広告情報を記憶する広告情報記憶部と、
前記コンテンツ解析情報に含まれるコンテンツの要素のレイアウトと前記広告情報に含まれる広告のレイアウトとを照合することで、前記広告のレイアウトに適合するレイアウトを有するコンテンツの要素を決定する広告レイアウト決定部と、
前記コンテンツの要素を、前記読み順に従って所定の表示装置に表示する表示制御部と、
各コンテンツの要素の閲覧履歴を取得する閲覧履歴取得部と、
前記閲覧履歴取得部の取得した各コンテンツの要素の閲覧履歴に従い、前記表示制御部が前記所定の表示装置に表示中のコンテンツの要素のうち、閲覧が開始するコンテンツの要素または閲覧が終了するコンテンツの要素を推測し、前記推測したコンテンツの要素のレイアウトに適合するレイアウトを有する広告の表示タイミングを決定する表示タイミング決定部と、
を備え、
前記表示制御部は、前記表示タイミング決定部の決定した表示タイミングで、前記所定の表示装置に表示中のコンテンツの要素のレイアウトに従い、前記広告を前記所定の表示装置に表示する電子書籍表示装置。
【請求項２】
前記閲覧履歴取得部は、ユーザごとの各コンテンツの要素の閲覧時間を取得し、
前記閲覧履歴取得部の取得したユーザごとの各コンテンツの要素の閲覧時間から、各コンテンツの要素の平均閲覧時間を算出する平均閲覧時間算出部を備える請求項１に記載の電子書籍表示装置。
【請求項３】
前記表示タイミング決定部は、前記読み順と前記コンテンツの要素の表示開始から経過した時間と前記平均閲覧時間算出部の算出した各コンテンツの要素の平均閲覧時間から、閲覧の開始するコンテンツの要素または閲覧の終了したコンテンツの要素を推測し、
前記表示制御部は、前記表示タイミング決定部が推測した閲覧の開始するコンテンツの要素または閲覧の終了したコンテンツの要素のレイアウトに適合する広告を表示する請求項２に記載の電子書籍表示装置。
【請求項４】
前記閲覧履歴取得部の取得した各コンテンツの要素の閲覧履歴から、各コンテンツの要素の人気度を算出する人気度算出部と、
所望の広告のレイアウトに適合するレイアウトを有するコンテンツの要素のうち、前記人気度算出部が算出した人気度の高いコンテンツの要素を優先的に抽出する人気コンテンツ要素抽出部と、
を備え、
前記表示制御部は、前記人気コンテンツ要素抽出部の抽出したコンテンツの要素のレイアウトに従い、前記表示タイミング決定部の決定した表示タイミングで前記広告を表示する請求項１〜３のいずれか１項に記載の電子書籍表示装置。
【請求項５】
前記閲覧履歴取得部は、ページの閲覧時間を取得し、
前記人気度算出部は、前記ページにおける特定のコマの相対的な閲覧時間を算出することで、前記特定のコマの人気度を算出する請求項４に記載の電子書籍表示装置。
【請求項６】
前記人気度算出部は、前記ページの閲覧時間を前記ページ内の総セリフ数で除算しかつ前記ページの特定のコマのセリフ数を乗算して前記特定のコマの推定閲覧時間を算出することで、前記特定のコマの人気度を算出する請求項５に記載の電子書籍表示装置。
【請求項７】
前記人気度算出部は、前記特定のコマの相対的な閲覧時間と前記特定のコマのサイズと前記特定のコマ内のセリフのサイズとから前記特定のコマの人気度を算出する請求項５または６に記載の電子書籍表示装置。
【請求項８】
前記人気度算出部は、前記特定のコマの相対的な閲覧時間と前記特定のコマのサイズと前記特定のコマ内のセリフのサイズとを乗算することで前記特定のコマの人気度を算出する請求項７に記載の電子書籍表示装置。
【請求項９】
前記コンテンツ解析部は、読み順が連続する一連のコンテンツの要素と前記読み順が連続するコンテンツの要素のレイアウトを解析し、
前記広告情報記憶部は、読み順が連続する一連の広告群と前記一連の広告を構成する複数の広告の各々に対応するレイアウトを記憶し、
前記広告レイアウト決定部は、前記コンテンツ解析情報に含まれる複数のコンテンツの要素の各々のレイアウトと前記広告情報に含まれる一連の広告を構成する複数の広告の各々のレイアウトとを照合することで、前記一連の広告のレイアウトに適合するレイアウトを有する一連のコンテンツの要素である一連の広告配置要素を決定し、
前記表示制御部は、前記一連の広告配置要素のレイアウトに適合する一連の広告を構成する各々の広告を、前記広告群の読み順に従い、前記一連の広告配置要素の個々の要素の表示に合わせて順次表示する請求項１に記載の電子書籍表示装置。
【請求項１０】
前記コンテンツの要素のレイアウトは、コンテンツの要素のサイズを含み、
前記広告のレイアウトは、広告のサイズを含み、
前記広告レイアウト決定部は、前記コンテンツの要素のサイズと前記広告のサイズを照合し、前記広告のサイズ以上のサイズを有するコンテンツの要素を決定することで、前記広告のレイアウトに適合するレイアウトを有するコンテンツの要素を決定する請求項１〜９のいずれか１項に記載の電子書籍表示装置。
【請求項１１】
前記コンテンツの要素はマンガのセリフを含み、
前記表示制御部は、前記広告のレイアウトに適合するマンガのセリフのレイアウトに従い、前記広告を前記セリフの代わりに表示する請求項１〜１０のいずれか１項に記載の電子書籍表示装置。
【請求項１２】
電子書籍表示装置が、
電子書籍のコンテンツを解析し、コンテンツの要素の読み順とコンテンツの要素のレイアウトを含むコンテンツ解析情報を取得するステップと、
広告と前記広告のレイアウトとを含む広告情報を記憶するステップと、
前記コンテンツ解析情報に含まれるコンテンツの要素のレイアウトと前記広告情報に含まれる広告のレイアウトとを照合することで、前記広告のレイアウトに適合するレイアウトを有するコンテンツの要素を決定するステップと、
前記コンテンツの要素を、前記読み順に従って所定の表示装置に表示するステップと、
各コンテンツの要素の閲覧履歴を取得するステップと、
前記取得した各コンテンツの要素の閲覧履歴に従い、前記所定の表示装置に表示中のコンテンツの要素のうち、閲覧が開始するコンテンツの要素または閲覧が終了するコンテンツの要素を推測し、前記推測したコンテンツの要素のレイアウトに適合するレイアウトを有する広告の表示タイミングを決定するステップと、
前記決定した表示タイミングで、前記所定の表示装置に表示中のコンテンツの要素のレイアウトに従い、前記広告を前記所定の表示装置に表示するステップと、
を実行する電子書籍表示方法。
【請求項１３】
電子書籍表示装置が、
電子書籍のコンテンツを解析し、コンテンツの要素の読み順とコンテンツの要素のレイアウトを含むコンテンツ解析情報を取得するステップと、
広告と前記広告のレイアウトとを含む広告情報を記憶するステップと、
前記コンテンツ解析情報に含まれるコンテンツの要素のレイアウトと前記広告情報に含まれる広告のレイアウトとを照合することで、前記広告のレイアウトに適合するレイアウトを有するコンテンツの要素を決定するステップと、
前記コンテンツの要素を、前記読み順に従って所定の表示装置に表示するステップと、
各コンテンツの要素の閲覧履歴を取得するステップと、
前記取得した各コンテンツの要素の閲覧履歴に従い、前記所定の表示装置に表示中のコンテンツの要素のうち、閲覧が開始するコンテンツの要素または閲覧が終了するコンテンツの要素を推測し、前記推測したコンテンツの要素のレイアウトに適合するレイアウトを有する広告の表示タイミングを決定するステップと、
前記決定した表示タイミングで、前記所定の表示装置に表示中のコンテンツの要素のレイアウトに従い、前記広告を前記所定の表示装置に表示するステップと、
を実行するための電子書籍表示プログラム。